(57)【要約】【課題】  血行を促進して足の疲れやむくみ等が効果的に予防できる靴下を提供する。【解決手段】  甲部分１ｂの裏面と向こう脛部分１ｅの裏面とに、足２の肌面に当たる複数本の刺激用凸条１ｈを形成する。この刺激用凸条１ｈは、足２の長さ方向に所定ピッチＰおよび所定の長さ範囲Ｌ２，Ｌ５で、甲部分１ｂでは略上半周の範囲Ｗで、向こう脛部分１ｅでは略前半周の範囲Ｗで、左右方向に延在する。そして、足２の甲のみの肌面および向こう脛のみの肌面を刺激用凸条１ｈで刺激して筋を緊張させても、土踏まずおよび向こう脛の筋が緊張しないから、土踏まずおよびふくらはぎの筋内に分布する血管に圧力がかからないので、土踏まずおよびふくらはぎの血行が促進されるので、多くの人が疲れを残す土踏まずおよびふくらはぎの筋の疲れやむくみが効果的に予防できるようになる。【選択図】  図１
2006225800.tif 000002
【特許請求の範囲】
【請求項１】
甲部分の裏面に、足の肌面に当たる複数本の刺激用凸条を形成したことを特徴とする靴下。
【請求項２】
向こう脛部分の裏面に、足の肌面に当たる複数本の刺激用凸条を形成したことを特徴とする靴下。
【請求項３】
甲部分の裏面と向こう脛部分の裏面とに、足の肌面に当たる複数本の刺激用凸条をそれぞれ形成したことを特徴とする靴下。
【請求項４】
前記刺激用凸条は、足の長さ方向に所定ピッチおよび所定の長さ範囲で、甲部分では略上半周の範囲で、向こう脛部分では略前半周の範囲で、左右方向に延在することを特徴とする請求項１〜３のいずれか一項に記載の靴下。
【請求項５】
爪先部分は、伸縮性の少ない袋状に形成していることを特徴とする請求項１〜４のいずれか一項に記載の靴下。
【発明の詳細な説明】
【技術分野】
【０００１】
本発明は、血行を促進して足の疲れやむくみ等が効果的に予防できる靴下に関する。
【背景技術】
【０００２】
従来、血行を促進して足の疲れやむくみ等が予防する目的で、足部やふくらはぎ部の緊締力を変える靴下が提案されている（特許文献１参照）。
【０００３】
また、甲部分と土踏まず部分、向こう脛部分とふくらはぎ部分に、それぞれ突起を設けた靴下が提案されている（特許文献２参照）。
【０００４】
さらに、土踏まず部分やふくらはぎ部分に、凹凸状畝を設けた靴下が提案されている（特許文献３参照）。
【０００５】
また、血行を促進する目的では無いが、足部の底部（土踏まず部分）に、その長手方向と直交する方向に、編組織による複数の凸条を形成した靴下が提案されている（特許文献４参照）。
【０００６】
さらに、靴下では無いが、血行を促進する目的で、平メッシュに関して内面に浮き上がった交互の波形を有するタックステッチメッシュ（凸条）を形成したタイツ用ガードルが提案されている（特許文献５参照）。
【特許文献１】特開２００２−２６６１０５号公報
【特許文献２】特開平２−３００３０２号公報
【特許文献３】実用新案登録第３０７６７０２号公報
【特許文献４】実開昭６０−６０４０２号公報
【特許文献５】特開平１１−１５２６０７号公報
【発明の開示】
【発明が解決しようとする課題】
【０００７】
特許文献１のように、足部やふくらはぎ部の緊締力を変える靴下では、向こう脛（足の前半周）とふくらはぎ（足の後半周）の両方（足の全周）を同時に刺激することになるから、向こう脛とふくらはぎの筋が同時に緊張するので、その目的とは逆に、血行が阻害されるおそれがある。
【０００８】
特許文献２のように、甲部分と土踏まず部分、向こう脛部分とふくらはぎ部分に突起を設ける靴下では、甲（足の上半周）と土踏まず（足の下半周）、向こう脛（足の前半周）とふくらはぎ（足の後半周）の両方（足の全周）を同時に刺激することになるから、甲と土踏まずの筋、向こう脛とふくらはぎの筋が同時に緊張するので、その目的とは逆に、血行が阻害されるおそれがある。
【０００９】
特許文献３のように、土踏まず部分やふくらはぎ部分に、凹凸状畝を設けた靴下では、甲の真裏の土踏まず（足の下半周）は、硬い骨が近くに有って筋が少ない甲部分と比較すれば、硬い骨が近くに無くて筋が多いために、土踏まずの肌面に刺激を与えると筋が緊張しすぎるので、血行が阻害されるおそれがある。同様に、向こう脛の真裏のふくらはぎ（足の後半周）は、硬い骨が近くに有って筋が少ない向こう脛と比較すれば、硬い骨が近くに無くて筋が多いために、ふくらはぎの肌面に刺激を与えると筋が緊張しすぎるので、その目的とは逆に、血行が阻害されるおそれがある。
【００１０】
本発明は、前記問題を解消するために、柔道整復師の助言を得ながら試行錯誤の結果としてなされたもので、血行を促進して足の疲れやむくみ等が効果的に予防できる靴下を提供することを目的とするものである。
【課題を解決するための手段】
【００１１】
前記課題を解決するために、本発明の第１の手段である靴下は、甲部分の裏面に、足の肌面に当たる複数本の刺激用凸条を形成したことを特徴とするものである。
【００１２】
本発明の第２の手段である靴下は、向こう脛部分の裏面に、足の肌面に当たる複数本の刺激用凸条を形成したことを特徴とするものである。
【００１３】
本発明の第３の手段である靴下は、甲部分の裏面と向こう脛部分の裏面とに、足の肌面に当たる複数本の刺激用凸条をそれぞれ形成したことを特徴とするものである。
【００１４】
前記靴下において、前記刺激用凸条は、足の長さ方向に所定ピッチおよび所定の長さ範囲で、甲部分では略上半周の範囲で、向こう脛部分では略前半周の範囲で、左右方向に延在することが好ましい。
【００１５】
前記靴下において、爪先部分は、伸縮性の少ない袋状に形成していることが好ましい。
【発明の効果】
【００１６】
本発明の第１の手段によれば、足の甲（足の上半周）の肌面が複数本の刺激用凸条で刺激されるようになる。すなわち、甲は、硬い骨が近くに有って筋が少ないために、甲の肌面に刺激を与えて筋が緊張しても土踏まずの筋が緊張しないから、土踏まずの筋内に分布する血管に圧力がかからないので、土踏まずの血行が促進される。逆に、甲の真裏の土踏まずは、硬い骨が近くに無くて筋が多いために、土踏まずの肌面に刺激を与えると筋が緊張しすぎるので、血行が阻害される。
【００１７】
そこで、甲のみの肌面を刺激用凸条で刺激することで、土踏まずの血行が促進されるので、多くの人が疲れを残す土踏まずの筋の疲れやむくみが効果的に予防できるようになる。特に甲の肌面は、歩行中に伸び縮みしやすいので、歩行中に伸び縮みしにくい土踏まずと異なり、刺激用凸条で刺激されやすいという利点もある。
【００１８】
また、甲には「太衝」「眼晴」「平衡器官区」と呼ばれるツボが存在し、これらを刺激用凸条で刺激することで、「太衝」では眠けをとるとともに、疲れやだるさもとれて身体がシャキッとする効果が得られ、「眼晴」では目の疲れがとれ、ドライアイを緩和する効果が得られ、「平衡器官区」では目眩や立ち眩みを緩和する効果が得られるようになる。
【００１９】
本発明の第２の手段によれば、足の向こう脛（足の前半周）の肌面が複数本の刺激用凸条で刺激されるようになる。すなわち、向こう脛は、硬い骨が近くに有って筋が少ないために、向こう脛の肌面に刺激を与えて筋が緊張してもふくらはぎの筋が緊張しないから、ふくらはぎの筋内に分布する血管に圧力がかからないので、ふくらはぎの血行が促進される。逆に、向こう脛の真裏のふくらはぎは、硬い骨が近くに無くて筋が多いために、ふくらはぎの肌面に刺激を与えると筋が緊張しすぎるので、血行が阻害される。
【００２０】
そこで、向こう脛のみの肌面を刺激用凸条で刺激することで、ふくらはぎの血行が促進されるので、多くの人が疲れを残すふくらはぎの筋の疲れやむくみが効果的に予防できるようになる。特に向こう脛の肌面は、歩行中に伸び縮みしやすいので、歩行中に伸び縮みしにくいふくらはぎと異なり、刺激用凸条で刺激されやすいという利点もある。
【００２１】
また、ふくらはぎには「足の三里」と呼ばれるツボが存在し、これらを刺激用凸条で刺激することで、脱力感、倦怠感がとれる効果が得られるようになる。
【００２２】
本発明の第３の手段によれば、第１の手段の効果と第２の手段の効果とで、足全体の血行が促進されやすいという相乗効果が得られる。
【発明を実施するための最良の形態】
【００２３】
以下、本発明を実施するための最良の形態について、図面を参照しながら詳細に説明する。
【００２４】
図１（ａ）に示すように、靴下１は、いわゆる膝丈サイズであって、着用者の足２の爪先から膝まで履くことができる。
【００２５】
前記靴下１は、爪先部分１ａ、甲部分１ｂ、土踏まず部分１ｃ、かかと部分１ｄ、向こう脛部分１ｅ、ふくらはぎ部分１ｆおよび膝部分１ｇで構成されている。
【００２６】
前記靴下１は、例えばナイロン糸を縦横に編み込んだものであって、爪先部分１ａとかかと部分１ｄとは、伸縮性の少ない平編とするのが好ましい。
【００２７】
また、膝部分１ｇは、周方向に伸縮性が有るゴム編とし、土踏まず部分１ｃとふくらはぎ部分１ｆとは、全方向に伸縮性が有るフロート編とするのが好ましい。この膝部分１ｇのゴム編と、土踏まず部分１ｃとふくらはぎ部分１ｆのフロート編とは、通常の靴下でも採用されている。
【００２８】
一方、甲部分１ｂと向こう脛部分１ｅとは、フロート編とタック編とを併用している。図２（ａ）は、甲部分１ｂ（または向こう脛部分１ｅ）を中央に描いて、土踏まず部分１ｃ（またはふくらはぎ部分１ｆ）をその両側に描いて展開した図である。
【００２９】
すなわち、甲部分１ｂと向こう脛部分１ｅとは、フロート編を基本として、図２（ｂ）のように、その裏面に、タック編によって、足２の肌面に当たる複数本の刺激用凸条１ｈを形成している。具体的には、刺激用凸条１ｈは、足の長さ方向に所定ピッチＰおよび所定の長さＬ２，Ｌ５で、図１（ｂ）の甲部分１ｂは、足２の略上半周の範囲Ｗで左右方向に延在するように形成するとともに、図１（ｃ）の向こう脛部分１ｅは、足２の略前半周の範囲Ｗで左右方向に延在するように形成している。
【００３０】
ここで、タック編とは、連続する編成運動の中で、編針のべらを開いたままで糸掛けするので旧編目に編針を掛けたままで編目を作らず、次の編成運動の新しく供給した糸とともに編目を形成する編み方であって、恰も布地を摘んで縫った襞（ひだ）のような凸条の形状となる。なお、刺激用凸条１ｈは、必ずしもタック編で形成する必要は無い。
【００３１】
前記刺激用凸条１ｈは、甲部分１ｂの全長の範囲（Ｌ１＋Ｌ２＋Ｌ３）に亘って有る必要は無く、長さの範囲Ｌ１，Ｌ２，Ｌ３が１：１：１であるのが好ましい。すなわち、全長の範囲（Ｌ１＋Ｌ２＋Ｌ３）では無く、長さの範囲Ｌ２に限った理由は、人によって疲れを残す範囲が違うことから、サイズが数種類（例えばＳ，Ｍ，Ｌサイズ）に限られる靴下１では、汎用性を持たせるために、可能な範囲で長く設定する反面、範囲が長すぎると、逆に刺激がぼやけてしまうので、柔道整復師の助言と多数のモニターテストとで妥当な範囲を探ったものである。
【００３２】
また、前記刺激用凸条１ｈは、向こう脛部分１ｅの全長の範囲（Ｌ４＋Ｌ５＋Ｌ６）に亘って有る必要は無く、長さの範囲Ｌ４、Ｌ５、Ｌ６が１：２：１であるのが好ましい。すなわち、全長の範囲（Ｌ４＋Ｌ５＋Ｌ６）では無く、長さの範囲Ｌ５に限った理由は、前記範囲Ｌ２と同様に、人によって疲れを残す範囲が違うことから、サイズが数種類（例えばＳ，Ｍ，Ｌサイズ）に限られる靴下１では、汎用性を持たせるために、可能な範囲で長く設定する反面、範囲が長すぎると、逆に刺激がぼやけてしまうので、柔道整復師の助言と多数のモニターテストとで妥当な範囲を探ったものである。
【００３３】
前記靴下１の刺激用凸条１ｈは、ピッチＰが例えば２〜４ｍｍ、特に３ｍｍ前後が好ましい。その理由は、２ｍｍより細かいと、タック編が困難であり、４ｍｍより粗いと、刺激箇所のピッチ（間隔）が広がり過ぎて、刺激したい箇所を捉えにくくなるからである。
【００３４】
したがって、靴下１がＭサイズだとすれば、甲部分１ｂでは、長さの範囲Ｌ２が４０〜５０ｍｍに１５本前後を形成すれば良く、向こう脛部分１ｅでは、長さＬ５の範囲が１１０〜１３０ｍｍに４０本前後を形成すれば良い。なお、前記各数値は、あくまでも例示である。
【００３５】
前記靴下１では、図３（ａ）のように、甲部分１ｂの裏面に、足２の肌面に当たる刺激用凸条１ｈを形成したから、靴下１を履いたときに、足２の甲の肌面が刺激用凸条１ｈで刺激されるようになる。
【００３６】
すなわち、足２の甲は、硬い骨が近くに有って筋が少ないために、甲の肌面に刺激を与えて筋が緊張しても土踏まずの筋が緊張しないから、土踏まずの筋内に分布する血管に圧力がかからないので、土踏まずの血行が促進される。
【００３７】
逆に、図３（ｂ）に示した特許文献３のように、土踏まず部分１ｃに刺激用凸条（凹凸状畝）１ｈを設けた靴下では、甲の真裏の土踏まず（足の下半周）は、硬い骨が近くに有って筋が少ない甲と比較すれば、硬い骨が近くに無くて筋が多いために、土踏まずの肌面に刺激を与えると筋が緊張しすぎるので、血行が阻害されるおそれがある。
【００３８】
また、図３（ｃ）に示した特許文献２のように、甲部分１ｂと土踏まず部分１ｃに刺激用突起１ｉをそれぞれ設ける靴下では、甲（足の上半周）と土踏まず（足の下半周）の両方（足の全周）を同時に刺激することになるから、甲と土踏まずの筋が同時に緊張するので、その目的とは逆に、血行が阻害されるおそれがある。
【００３９】
そこで、足２の甲のみの肌面を刺激用凸条１ｈで刺激することで、土踏まずの血行が促進されるので、多くの人が疲れを残す土踏まずの筋の疲れやむくみが効果的に予防できるようになる。特に甲の肌面は、歩行中に伸び縮みしやすいので、歩行中に伸び縮みしにくい土踏まずと異なり、刺激用凸条１ｈで刺激されやすいという利点もある。
【００４０】
また、足２の甲には「太衝」「眼晴」「平衡器官区」と呼ばれるツボが存在し、これらを刺激用凸条１ｈで刺激することで、「太衝」では眠けをとるとともに、疲れやだるさもとれて身体がシャキッとする効果が得られ、「眼晴」では目の疲れがとれ、ドライアイを緩和する効果が得られ、「平衡器官区」では目眩や立ち眩みを緩和する効果が得られるようになる。
【００４１】
さらに、刺激用凸条１ｈは甲部分１ｂの裏面に形成しているので、靴下１を履いたときには目立たちにくいので、デザイン性を損なうことが無い。
【００４２】
一方、前記靴下１では、図３（ａ）のように、足２の向こう脛部分１ｅの裏面に、肌面に当たる刺激用凸条１ｈを形成したから、靴下１を履いたときに、足２の向こう脛の肌面が刺激用凸条１ｈで刺激されるようになる。
【００４３】
すなわち、足２の向こう脛は、硬い骨が近くに有って筋が少ないために、向こう脛の肌面に刺激を与えて筋を緊張させてもふくらはぎの筋が緊張しないから、ふくらはぎの筋内に分布する血管に圧力がかからないので、ふくらはぎの血行が促進される。
【００４４】
逆に、図３（ｂ）に示した特許文献３のように、ふくらはぎ部分１ｆに刺激用凸条（凹凸状畝）１ｈを設けた靴下では、向こう脛の真裏のふくらはぎ（足の後半周）は、硬い骨が近くに有って筋が少ない向こう脛と比較すれば、硬い骨が近くに無くて筋が多いために、ふくらはぎの肌面に刺激を与えると筋が緊張しすぎるので、その目的とは逆に、血行が阻害されるおそれがある。
【００４５】
また、図３（ｃ）に示した特許文献２のように、向こう脛部分１ｅとふくらはぎ部分１ｆに刺激用突起１ｉをそれぞれ設ける靴下では、向こう脛（足の前半周）とふくらはぎ（足の後半周）の両方（足の全周）を同時に刺激することになるから、向こう脛とふくらはぎの筋が同時に緊張するので、その目的とは逆に、血行が阻害されるおそれがある。
【００４６】
そこで、足２の向こう脛のみの肌面を刺激用凸条１ｈで刺激することで、ふくらはぎの血行が促進されるので、多くの人が疲れを残すふくらはぎの筋の疲れやむくみが効果的に予防できるようになる。特に向こう脛の肌面は、歩行中に伸び縮みしやすいので、歩行中に伸び縮みしにくいふくらはぎと異なり、刺激用凸条１ｈで刺激されやすいという利点もある。
【００４７】
また、ふくらはぎには「足の三里」と呼ばれるツボが存在し、これを刺激用凸条１ｈで刺激することで、脱力感、倦怠感がとれる効果が得られるようになる。
【００４８】
さらに、刺激用凸条１ｈは向こう脛部分１ｅの裏面に形成しているので、靴下１を履いたときには目立ちにくいので、デザイン性を損なうことが無い。
【００４９】
さらにまた、甲部分１ｂや向こう脛部分１ｅの刺激用凸条１ｈは、通常の靴下で採用されているフロート編にタック編を併用すれば形成できるので、コスト安に製造できるようになる。
【００５０】
また、甲部分１ｂや向こう脛部分１ｅの刺激用凸条１ｈは、足２の長さ方向に所定ピッチＰおよび所定の長さ範囲Ｌ２，Ｌ５で、甲部分１ｂでは、足２の略上半周の範囲Ｗ、向こう脛部分１ｅでは、足２の略前半周の範囲Ｗで、左右方向に延在するようにしたから、靴下１の大部分を伸縮性のフロート編とし、刺激用凸条１ｈをタック編とした場合、刺激用凸条１ｈのタック編と、隣り合う上下のタック編の間のフロート編とが、交互に横縞模様（柄）として現れるので、見栄えが良く、デザイン性を損なうことが無い。
【００５１】
前記実施形態では、甲部分１ｂと向こう脛部分１ｅの双方に刺激用凸条１ｈを形成したがいずれか一方であっても良く、双方に形成すれば、足２の全体の血行が促進されやすいという相乗効果が得られるので好ましい。
【００５２】
前記実施形態では、向こう脛部分１ｅの前半周に刺激用凸条１ｈを形成したが、図１（ｄ）のように、内寄りにオフセットさせることもできる。
【００５３】
前記実施形態では、刺激用凸条１ｈは、足２の長さ方向に所定ピッチＰで、甲部分１ｂでは略上半周の範囲で、向こう脛部分１ｅでは略前半周の範囲で、左右方向に延在する横縞模様形状であったが、足２の周方向に所定ピッチＰで、甲部分１ｂでは前後方向に、向こう脛部分１ｅでは上下方向に、それぞれ延在する縦縞模様形状であっても良い。また、甲部分１ｂと向こう脛部分１ｅのそれぞれで、×状にクロスするようなクロス縞模様形状であっても良い。
【００５４】
前記実施形態のように、爪先部分１ａを伸縮性の少ない平編で袋状に形成すれば、足２の爪先の締め付けが無くなるので、外反母趾を有効に防止できるようになる。
【００５５】
前記実施形態の靴下１は膝丈サイズであったが、足首付近までの短い靴下やタイツ等のの靴下部分にも適用できることは言うまでもない。
【図面の簡単な説明】
【００５６】
【図１】本発明の実施形態に係る靴下であり、（ａ）は足に履いた斜視図、（ｂ）は（ａ）のＡ−Ａ線断面図、（ｃ）は（ａ）のＢ−Ｂ線断面図、（ｄ）は変形例の（ａ）のＢ−Ｂ線断面図である。
【図２】（ａ）は、甲部分（または向こう脛部分）を中央に描いて、土踏まず部分（またはふくらはぎ部分）をその両側に描いて展開した図、（ｂ）は（ａ）のＣ−Ｃ線断面図である。
【図３】（ａ）は本発明の実施形態に係る靴下の側面図、（ｂ）は特許文献３の靴下の側面図、（ｃ）は特許文献２の靴下の側面図である。
【符号の説明】
【００５７】
１    靴下
１ｂ  甲部分
１ｃ  土踏まず部分
１ｅ  向こう脛部分
１ｆ  ふくらはぎ部分
１ｈ  刺激用凸条
２    足
Ｌ２，Ｌ５  長さの範囲
Ｐ    ピッチ
Ｗ    半周の範囲
【図１】
2006225800.tif 000003
【図２】
2006225800.tif 000004
【図３】
2006225800.tif 000005